(57)【特許請求の範囲】
【請求項１】
半地下構造とされた居室の壁部の一部を構成すると共に、基礎の立ち上がり部の上端から建物上方側へ延設されかつ壁厚方向に貫通された窓用開口部が形成された上壁部と、
前記居室の壁部の一部を構成すると共に、前記基礎の立ち上がり部の室内側に隣接して形成されかつ上端部が前記窓用開口部に対して一段下がった位置に設けられた下壁部と、
前記下壁部の上端部に設けられると共にプランタを保持するプランタ保持台が載置可能とされ、前記窓用開口部の下縁部に対して建物上下方向で前記プランタの高さ方向の寸法と同程度離間された笠木と、
を有する半地下構造の居室壁構造。
【請求項２】
前記下壁部は、前記居室の床部から建物上方側へ向かって延設されている、
請求項１記載の半地下構造の居室壁構造。
【請求項３】
前記プランタ保持台は、建物上下方向に立設されると共に壁下端部が前記笠木よりも建物下側に位置された略矩形板状の前壁部と、前記前壁部と対向すると共に壁上端部が前記窓用開口部の下縁部より建物上方側に位置された略矩形板状の後壁部と、前記前壁部と前記後壁部とを壁厚方向に連結する略矩形板状の底壁部と、を含んで構成されている、
請求項１及び請求項２記載の半地下構造の居室壁構造。
【請求項４】
前記プランタ保持台の前記前壁部における前記底壁部より建物上方側には、板厚方向に貫通された切抜き部が形成されている、
請求項３記載の半地下構造の居室壁構造。
【請求項５】
前記プランタ保持台は、前記笠木に対して着脱可能な構成とされている、
請求項１〜請求項４のいずれか一項に記載の半地下構造の居室壁構造。
【請求項６】
前記プランタ保持台には、前記笠木又は前記笠木に取り付けられた部材と建物上下方向に係合されることにより前記笠木から前記プランタ保持台の落下を防止する落下防止構造が設けられている、
請求項１〜請求項５のいずれか一項に記載の半地下構造の居室壁構造。
【請求項７】
前記落下防止構造は、前記笠木に係合部が設けられると共に、前記プランタ保持台には前記プランタ保持台が前記笠木上に載置した際に当該係合部へ係合する被係合部が設けられた構成とされている、
請求項６記載の半地下構造の居室壁構造。
【請求項８】
前記プランタ保持台は、前記プランタを室内側へ傾けた状態で保持している、
請求項１〜請求項７のいずれか一項に記載の半地下構造の居室壁構造。
【請求項９】
前記笠木は、前記下壁部に対して突出して設けられていると共に、突出した前記笠木の建物下方側にはヒータが設けられている、
請求項１〜請求項８のいずれか一項に記載の半地下構造の居室壁構造。
【発明の詳細な説明】
【技術分野】
【０００１】
本発明は、半地下構造の居室壁構造に関する。
【背景技術】
【０００２】
下記特許文献１には、出窓に設けられたプランタが開示されている。具体的には、出窓のサッシに対して室内側に位置する台座に植物を植えたプランタが設けられている。このプランタの底壁部には、出窓のサッシに設けられたレールに対応した凹部が形成されている。この凹部をサッシのレールに係合させることで、プランタは動かないように固定されるので、プランタは安定して台座上に載置される。
【先行技術文献】
【特許文献】
【０００３】
【特許文献１】実開昭６３−１２４３５４号公報
【発明の概要】
【発明が解決しようとする課題】
【０００４】
しかしながら、上記特許文献１に開示されたプランタでは、底壁部に設けられた凹部にサッシのレールを係合させることから、プランタの底壁部から上側の部分が出窓の窓を遮るように配設される。つまり、室内から窓を通して室外を眺めた際の見栄えがプランタにより悪化する。また、プランタは、凹部が設けられた専用品であるため、一般的なプランタに植物が植えられている場合、植物をこのプランタへ植え替える必要があり、手間が掛かる。
【０００５】
本発明は上記問題を考慮し、見栄えを悪化させることなく容易にプランタを設置することができる半地下構造の居室壁構造を得ることが目的である。
【課題を解決するための手段】
【０００６】
第１の態様に係る半地下構造の居室壁構造は、半地下構造とされた居室の壁部の一部を構成すると共に、基礎の立ち上がり部の上端から建物上方側へ延設されかつ壁厚方向に貫通された窓用開口部が形成された上壁部と、前記居室の壁部の一部を構成すると共に、前記基礎の立ち上がり部の室内側に隣接して形成されかつ上端部が前記窓用開口部に対して一段下がった位置に設けられた下壁部と、前記下壁部の上端部に設けられると共にプランタを保持するプランタ保持台が載置可能とされ、前記窓用開口部の下縁部に対して建物上下方向で前記プランタの高さ方向の寸法と同程度離間された笠木と、を有している。
【０００７】
第２の態様に係る半地下構造の居室壁構造は、第１の態様に係る半地下構造の居室壁構造において、前記下壁部は、前記居室の床部から建物上方側へ向かって延設されている。
【０００８】
第３の態様に係る半地下構造の居室壁構造は、第１の態様及び第２の態様に係る半地下構造の居室壁構造において、前記プランタ保持台は、建物上下方向に立設されると共に壁下端部が前記笠木よりも建物下側に位置された略矩形板状の前壁部と、前記前壁部と対向すると共に壁上端部が前記窓用開口部の下縁部より建物上方側に位置された略矩形板状の後壁部と、前記前壁部と前記後壁部とを壁厚方向に連結する略矩形板状の底壁部と、を含んで構成されている。
【０００９】
第４の態様に係る半地下構造の居室壁構造は、第３の態様の半地下構造の居室壁構造において、前記プランタ保持台の前記前壁部における前記底壁部より建物上方側には、板厚方向に貫通された切抜き部が形成されている。
【００１０】
第５の態様に係る半地下構造の居室壁構造は、第１の態様〜第４の態様の何れか一つの態様の半地下構造の居室壁構造において、前記プランタ保持台は、前記笠木に対して着脱可能な構成とされている。
【００１１】
第６の態様に係る半地下構造の居室壁構造は、第１の態様〜第５の態様の何れか一つの態様の半地下構造の居室壁構造において、前記プランタ保持台には、前記笠木と建物上下方向に係合されることにより前記笠木から前記プランタ保持台の落下を防止する落下防止構造が設けられている。
【００１２】
第７の態様に係る半地下構造の居室壁構造は、第６の態様に係る半地下構造の居室壁構造において、前記落下防止構造は、前記笠木に係合部が設けられると共に、前記プランタ保持台には前記プランタ保持台が前記笠木上に載置した際に当該係合部へ係合する被係合部が設けられた構成とされている。
【００１３】
第８の態様に係る半地下構造の居室壁構造は、第１の態様〜第７の態様の何れか一つの態様の半地下構造の居室壁構造において、前記プランタ保持台は、前記プランタを室内側へ傾けた状態で保持している。
【００１４】
第９の態様に係る半地下構造の居室壁構造は、第１の態様〜第８の態様の何れか一つの態様の半地下構造の居室壁構造において、前記笠木は、前記下壁部に対して突出して設けられていると共に、突出した前記笠木の建物下方側にはヒータが設けられている、請求項１〜請求項８のいずれか一項に記載の半地下構造の居室壁構造。
【００１５】
第１の態様によれば、上壁部の窓用開口部に対して室内側かつ一段下がった位置には、下壁部の上端部が設けられている。また、この下壁部の上端部には、笠木が設けられている。つまり、窓用開口部に対して低い位置に笠木が設けられている。この笠木には、プランタを内部に保持するプランタ保持台が載置可能とされている。したがって、プランタ保持台が笠木に載置された際に、笠木が窓用開口部に対して一段下がっていることから、プランタによって窓用開口部が遮られるのを抑制することができる。また、窓用開口部の下縁部と笠木とは、建物上下方向でプランタの高さ方向の寸法と同程度離間されていることから、プランタが設けられた場合、プランタに植えられた植物が窓用開口部の下縁部から建物上方側に配置される。つまり、プランタによって窓用開口部が遮られるのを抑制すると共に室内から窓を通して室外を眺めた際に緑の景観を楽しむことができる。
【００１７】
第３の態様によれば、プランタ保持台は前壁部とこれと対向する後壁部とを底壁部で連結させた構成とされていることから、長手方向に直交する断面が前壁部と後壁部と底壁部とで略Ｕ字状になるように形成されている。すなわち、プランタをプランタ保持台の底壁部上に載置させると、前壁部と後壁部とでプランタを支えることができるので、プランタ自体に特別な構成を設ける必要がない。つまり、一般的なプランタを使用する場合であってもプランタが室内側及び室外側へ倒れるのを抑制することができる。
【００１８】
また、後壁部の壁上端部が窓用開口部の下縁部よりも建物上方側に位置されているため、笠木上にプランタ保持台を載置すると、窓用開口部の下縁部における室内側の端部を後壁部で覆うことができる。同様に、前壁部の壁下端部が笠木よりも建物下側に位置されているため、笠木上にプランタ保持台を載置すると、笠木の室内側の端部を前壁部で覆うことができる。したがって、すっきりとした見た目になって外観品質性を向上させることができる。
【００１９】
第４の態様によれば、プランタ保持台の前壁部における底壁部より建物上方側には、切抜き部が形成されていることから、プランタ保持台内の底壁部上に載置されたプランタが室内側に露見される。したがって、意匠性の高いプランタが載置された場合には、このプランタも眺めることが可能となるため、プランタの意匠を含めた景観を楽しむことができる。
【００２０】
第５の態様によれば、プランタ保持台は笠木に対して着脱可能な構成とされていることから、プランタ保持台を笠木から取り外して清掃を行うことができる。つまり、プランタ保持台の清掃が容易となる。
【００２１】
第６の態様によれば、プランタ保持台には、笠木又は笠木に取り付けられた部材と建物上下方向に係合されることにより笠木からプランタ保持台の落下を防止する落下防止構造が設けられていることから、笠木上に載置されたプランタ保持台及びプランタが笠木から室内側へ落下するのを抑制することができる。
【００２２】
第７の態様によれば、落下防止構造は、プランタ保持台を載置した際に笠木に設けられた係合部へプランタ保持台に設けられた被係合部が係合する構成とされている。したがって、プランタ保持台と笠木とを係合させる操作をすることなくプランタ保持台を笠木上に載置するだけでプランタ保持台を笠木へと係合させることができる。これによって、笠木上に設けられたプランタ保持台に略水平方向に外力が加わった場合にも、被係合部が係合部に係合していることで笠木に対するプランタ保持台の移動が止められるので、笠木上からプランタ保持台が落下するのを抑制することができる。
【００２３】
第８の態様によれば、プランタが室内側に向けて傾けられた状態でプランタ保持台に保持されていることから、室内側から室外側を眺めた際にプランタに植えられた植物を斜め上側から視認することができる。つまり、植物がより室内から見易くなる。したがって、背の低い植物がプランタに植えられている場合にも、室内から窓ガラスを通して室外を眺めた際に緑の景観を楽しむことができる。
【００２４】
第９の態様によれば、笠木の建物下方側には、ヒータが設けられていることから、このヒータを作動させた場合の熱によって低温の外気の影響で窓部開口部から発生する下降冷気（コールドドラフト）を抑制することができる。また、ヒータからの熱によって冬場でもプランタ保持台に載置されたプランタの植物を育ち易くすることができる。
【発明の効果】
【００２５】
以上説明したように、本発明に係る半地下構造の居室壁構造は、見栄えを悪化させることなく容易にプランタを設置することができるという優れた効果を有する。
【図面の簡単な説明】
【００２６】
【図１】第１実施形態に係る半地下構造の居室壁構造を有する建物を示す概略断面図である。
【図２】第１実施形態に係る半地下構造の居室壁構造の要部を示す断面図である。
【図３】（Ａ）は第１実施形態に係る半地下構造の居室壁構造におけるプランタ保持台を示す斜視図であり、（Ｂ）は図２の構成を室内側から室外側へ向かって見た状態を示す概略図である。
【図４】対比例に係る半地下構造の居室壁構造を示す拡大断面図である。
【図５】（Ａ）は第２実施形態に係る半地下構造の居室壁構造におけるプランタ保持台を示す斜視図であり、（Ｂ）は（Ａ）においてＡ−Ａ線に沿って切断された状態を示す断面図である。
【図６】（Ａ）は第３実施形態に係る半地下構造の居室壁構造におけるプランタ保持台を示す斜視図であり、（Ｂ）は（Ａ）においてＢ−Ｂ線に沿って切断された状態を示す断面図であり、（Ｃ）は（Ｂ）の変形例を示す断面図である。
【図７】第４実施形態に係る半地下構造の居室壁構造を示す拡大断面図である。
【図８】第５実施形態に係る半地下構造の居室壁構造を示す拡大断面図である。
【図９】第６実施形態に係る半地下構造の居室壁構造の要部を示す概略断面図である。
【発明を実施するための形態】
【００２７】
以下、図１〜３を用いて、本発明に係る半地下構造の居室壁構造の第１実施形態について説明する。
【００２８】
図１に示されるように、基礎１０の上には、建物１２が設けられている。この建物１２は、本実施形態では鉄骨軸組工法により構築されている。すなわち、建物１２は、鉄骨で構成された複数の大梁１４と、図示しない複数の柱とを含んで構成されており、一方の柱とこれと対向する他方の柱との間に外壁パネル１６が設けられている。
【００２９】
基礎１０は、鉄筋コンクリート造の布基礎とされており、床下地盤１８の内部に埋設されたフーチング部２０と、その上方へ向かって延びる立ち上がり部２２と、を含んで構成されている。
【００３０】
建物１２の内部には、複数の居室が設けられている。具体的には、一階に設けられた一階居室２４と、この一階居室２４に隣接しかつ床面２６が一階居室２４の建物上下方向略中央部に対応した位置に配置された中二階居室２８と、この中二階居室２８の建物上下方向下側に配置された居室としての半地下居室３０と、を含んで構成されている。
【００３１】
一階居室２４は、基礎１０上に架け渡された建物平面視で略矩形状に形成された床梁３２と、この床梁３２の四隅に設けられると共に建物上下方向に立設された図示しない柱と、この柱の上部に取り付けられ建物平面視で略矩形状に形成された天井梁３４と、を含んで構成されている。また、一方の柱とこれと対向する他方の柱との間に内壁パネル３６が設けられている。
【００３２】
半地下居室３０は、床部３８と、壁部４０と、天井梁３４とを含んで構成されている。床部３８は、一例として鉄筋コンクリートにより構成されており、床下地盤１８の表面よりも建物下側に水平状に設けられている。また、床部３８は基礎１０の立ち上がり部２２に対して建物内側の範囲に設けられている。
【００３３】
屋外側の壁部４０は、上壁部４２と下壁部４４とを含んで構成されている。上壁部４２は、下部側が基礎１０の立ち上がり部２２の建物上方側に設けられていると共に、上部側が建物上下方向に沿って天井梁３４まで延設されている。この上壁部４２の上部側と下部側とは、連続した同一面上に配置されている。また、上壁部４２には、壁厚方向に貫通された窓用開口部４６が形成されている。
【００３４】
上壁部４２の下部側には、下壁部４４が連続的に設けられている。下壁部４４は、基礎１０の立ち上がり部２２の室内側に設けられている。つまり、下壁部４４の上部側は、上壁部４２の下部側に対して室内側へオフセットされている。また、下壁部４４は、上壁部４２に対して壁厚が薄く設定されている。
【００３５】
図２に示されるように、窓用開口部４６の室外側には、窓ガラス４８が移動可能に保持されたサッシ５０が取り付けられている。このサッシ５０は、一例として引違い窓とされている。また、窓用開口部４６の室内側かつ建物下側には、建物平面視で略矩形板状に形成された下縁部としての窓台５２が取り付けられている。なお、サッシ５０は、本実施形態では引違い窓とされているが、これに限らず、すべり出し窓等としてもよい。また、窓台５２は、窓用開口部４６より室内側へ少し突出するように取り付けられている。
【００３６】
下壁部４４の上端部５４は、窓用開口部４６の窓台５２よりも建物下側に位置されている。すなわち、窓用開口部４６に対して一段下がった位置に配置されていると共に、この上端部５４に笠木５８が取り付けられている。この笠木５８は、建物平面視で略矩形板状に形成されており、下壁部４４の下部側の室内側を構成する石膏ボード６０より室内側へ少し突出するように取り付けられている。また、笠木５８と窓台５２とは、建物上下方向で後述するプランタ５６の高さ方向の寸法と同程度離間されている。
【００３７】
笠木５８の建物上面６２には、笠木５８に取り付けられた部材として、又落下防止構造の係合部としての笠木凸部６４が取り付けられている。この笠木凸部６４は、建物平面視で略矩形板状に形成されており、室外側端部６６が窓台５２の室内側の端部６８に対して後述するプランタ保持台１２８の後壁部７２の板厚分離間した位置に設定されている。
【００３８】
笠木５８の建物上方側には、プランタ保持台７０が載置されている。このプランタ保持台７０は、図３（Ａ）に示されるように、前壁部７４と、後壁部７２と、底壁部７６とを含んで構成されている。具体的には、前壁部７４は、一例としてメラミン化粧板等の耐水性を有する材質で構成されると共に面直方向視での短手方向が建物上下方向に沿って立設された略矩形板状に形成されている。この前壁部７４に対向した室外側に、前壁部７４と同様、耐水性を有する材質で構成されると共に面直方向視で短手方向が建物上下方向に沿って立設された略矩形板状に形成された後壁部７２が設けられている。また、前壁部７４と後壁部７２とは、建物平面視で略矩形板状に形成され板厚方向が建物上下方向に沿うように配置された底壁部７６によって下部側同士が連結されている。なお、後壁部７２の壁上端部７８は、窓用開口部４６の窓台５２よりも建物上方側に位置すると共に、前壁部７４の壁下端部８０は、笠木５８よりも建物下方側に位置するように設定されている（図２参照）。また、前壁部７４の長手方向寸法及び後壁部７２の長手方向寸法は、窓用開口部４６に対して突出する寸法に設定されている（図３（Ｂ）参照）。
【００３９】
底壁部７６の壁下側面８２には、落下防止構造の被係合部としての笠木引っ掛け部８４が取り付けられている。この笠木引っ掛け部８４は、図２に示されるように面直方向視での短手方向が建物上下方向に沿って立設された略矩形板状に形成されていると共に短手方向の寸法が笠木凸部６４の板厚と略同一に設定されている。また、笠木引っ掛け部８４は、プランタ保持台７０が笠木５８上に載置されかつ後壁部７２が笠木凸部６４の室外側端部６６と当接した状態で笠木凸部６４の室内側端部８６と係合するよう底壁部７６の壁下側面８２に取り付けられている。つまり、プランタ保持台７０を笠木５８上に載置した際に笠木凸部６４と笠木引っ掛け部８４が係合する構成とされている。なお、笠木引っ掛け部８４ひいてはプランタ保持台７０を建物上方側へ持ち上げることで、笠木引っ掛け部８４と笠木凸部６４の室内側端部８６との当接を解除することができる。つまり、プランタ保持台７０を笠木５８から取り外すことが可能となる。
【００４０】
プランタ保持台７０の内部には、植物Ｐが植えられた複数のプランタ５６が前壁部７４の長手方向に沿って収められている。プランタ５６はプランタ保持台７０内の底壁部７６に載置される。プランタ保持台７０の前壁部７４における底壁部７６から前壁部７４の壁上端部７５までの寸法はプランタ５６の高さと略同一とされていることから、図３（Ｂ）に示されるように、室内側から窓用開口部４６の窓ガラス４８を通して室外を見たときに前壁部７４がプランタ５６を隠すことで植物Ｐだけが視認される構成となる。なお、本実施形態では、笠木５８上にプランタ５６を保持するプランタ保持台７０を載置する構成とされているが、これに限らず、プランタ５６を直接笠木５８上に載置する構成としてもよい。
【００４１】
（第１実施形態の作用・効果）
次に、本実施形態の作用並びに効果を説明する。
【００４２】
ここで、図４に示される対比例を用いながら、本実施形態の作用並びに効果を説明することにする。
【００４３】
図４に示されるように、下壁部２００に設けられた窓枠開口部２０２の室外側には、窓ガラス４８が移動可能に保持されたサッシ２０４が取り付けられている。サッシ２０４の室内側には、建物上方側へ突出された係合部２０６が形成されている。
【００４４】
下壁部２００の上端部２０８は、サッシ２０４の下壁部２０５に対し少し高い位置に設定されている。この上端部２０８及びサッシ２０４の下壁部２０５には、プランタ保持台２１０が載置されている。
【００４５】
プランタ保持台２１０の底壁部２１２には、建物上方側へ凹形状とされてサッシ２０４の係合部２０６に係合された被係合部２０７が形成されている。また、プランタ保持台２１０の内部に設けられたプランタ２１４の底壁部２１６には、プランタ保持台２１０の被係合部２０７に合わせて建物上方側へ凹形状とされた凹部２１８が形成されている。また、プランタ２１４内部には、植物Ｐが植えられている。
【００４６】
サッシ２０４の係合部２０６とプランタ保持台２１０の被係合部２０７とが係合されると、プランタ保持台２１０引いてはプランタ２１４が下壁部２００の上端部２０８に固定される。これにより、プランタ２１４は安定して上端部２０８上に載置される。
【００４７】
しかしながら、対比例に係るプランタ２１４では、底壁部２１６に設けられた凹部２１８にサッシ２０４の係合部２０６を係合させることから、プランタ２１４の底壁部２１６から上側の部分が窓枠開口部２０２の窓ガラス４８を遮るように配設される。つまり、室内から窓ガラス４８を通して室外を眺めた際の見栄えがプランタ２１４によって悪化する。また、プランタ２１４は、凹部２１８が設けられた専用品であるため、一般的なプランタに植物Ｐが植えられている場合、植物Ｐをこのプランタ２１４へ植え替える必要があり、手間が掛かる。
【００４８】
これに対し、本実施形態によれば、図１に示されるように、上壁部４２の窓用開口部４６に対して室内側かつ一段下がった位置には、下壁部４４の上端部５４が設けられている。また、この下壁部４４の上端部５４には、笠木５８が設けられている。つまり、窓用開口部４６に対して低い位置に笠木５８が設けられている。この笠木５８には、プランタ５６を内部に保持するプランタ保持台７０が載置されているが、笠木５８は窓用開口部４６に対して一段下がっていることから、プランタ５６によって窓用開口部４６が遮られるのを抑制することができる。これにより、見栄えを悪化させることなく容易にプランタ５６を設置することができる。
【００４９】
また、窓用開口部４６と笠木５８とは、建物上下方向でプランタ５６の高さ方向の寸法と同程度離間されていることから、プランタ５６が設けられた場合、プランタ５６に植えられた植物Ｐが窓用開口部４６の窓台５２から建物上方側に配置される。つまり、プランタ５６によって窓用開口部４６が遮られるのを抑制すると共に室内から窓ガラス４８を通して室外を眺めた際に緑の景観を楽しむことができる。
【００５０】
さらに、窓ガラス４８の屋外側に植栽８８が設けられている場合には、室内から窓ガラス４８を通して室外を眺めた際にプランタ５６の植物Ｐと植栽８８とが視覚的に連続する構成となる（図３（Ｂ）参照）。したがって、半地下居室３０に居ながら屋外とのつながりを感じることができるので、開放感を得ることができる。
【００５１】
さらにまた、プランタ保持台７０は前壁部７４の壁下側部とこれと対向する後壁部７２の壁下側部とを底壁部７６で連結させた構成とされていることから、長手方向に直交する断面が前壁部７４と後壁部７２と底壁部７６とで略Ｕ字状になるように形成されている。すなわち、プランタ５６をプランタ保持台７０の底壁部７６上に載置させると、前壁部７４と後壁部７２とでプランタ５６を支えることができるので、プランタ５６自体に特別な構成を設ける必要がない。つまり、一般的なプランタ５６を使用する場合であってもプランタ５６が室内側及び室外側へ倒れるのを抑制することができる。
【００５２】
また、後壁部７２の壁上端部７８が窓用開口部４６の窓台５２よりも建物上方側に位置されているため、笠木５８上にプランタ保持台７０を載置すると、窓用開口部４６の窓台５２における室内側の端部６８を後壁部７２で覆うことができる。同様に、前壁部７４の壁下端部８０が笠木５８よりも建物下側に位置されているため、笠木５８上にプランタ保持台７０を載置すると、笠木５８の室内側の端部９２を前壁部７４で覆うことができる。したがって、すっきりとした見た目になって外観品質性を向上させることができる。
【００５３】
さらに、プランタ保持台７０は笠木５８に対して着脱可能な構成とされていることから、プランタ保持台７０を笠木５８から取り外して清掃を行うことができる。つまり、プランタ保持台７０の清掃が容易となる。
【００５４】
さらにまた、プランタ保持台７０には、笠木引っ掛け部８４が設けられていることから、笠木５８上に載置されたプランタ保持台７０が笠木５８から室内側へ落下するのを抑制することができる。具体的には、笠木５８に設けられた笠木凸部６４にプランタ保持台７０に設けられた笠木引っ掛け部８４が係合する構成とされている。したがって、プランタ保持台７０と笠木５８とを係合させる操作をすることなくプランタ保持台７０を笠木５８上に載置するだけでプランタ保持台７０を笠木凸部６４ひいては笠木５８へと係合させることができる。これによって、笠木５８上に設けられたプランタ保持台７０に略水平方向に外力が加わった場合にも、笠木引っ掛け部８４が笠木凸部６４に係合していることで笠木５８に対するプランタ保持台７０の移動が止められるので笠木５８上からプランタ保持台７０が落下するのを抑制することができる。
【００５５】
（第２実施形態）
次に、図５を用いて、本発明の第２実施形態に係る半地下構造の居室壁構造について説明する。なお、前述した第１実施形態等と同一構成部分については、同一番号を付してその説明を省略する。
【００５６】
この第２実施形態に係る半地下構造の居室壁構造は、基本的な構成は第１実施形態と同様とされ、プランタ保持台９６の前壁部９８に切り抜き部１００が形成されている点に特徴がある。
【００５７】
すなわち、笠木５８の建物上方側には、プランタ保持台９６が載置されている。このプランタ保持台９６は、図５（Ａ）に示されるように、前壁部９８と、後壁部７２と、底壁部７６とを含んで構成されている。具体的には、前壁部９８は、一例としてメラミン化粧板等の耐水性を有する材質で構成されると共に面直方向視での短手方向が建物上下方向に沿って立設された略矩形板状に形成されている。この前壁部９８に対向した室外側に後壁部７２が設けられている。また、前壁部９８と後壁部７２とは、建物平面視で略矩形板状に形成され板厚方向が建物上下方向に沿うように配置された底壁部７６によって連結されている。
【００５８】
図５（Ｂ）に示されるように、前壁部９８には、板厚方向に貫通された切り抜き部１００が形成されている。この切り抜き部１００は、前壁部９８における底壁部７６との結合部分より建物上方側に設けられており、面直方向視で長手方向が前壁部９８の長手方向に沿った矩形状に形成されている（図５（Ａ）参照）。
【００５９】
（第２実施形態の作用・効果）
次に、第２実施形態の作用並びに効果を説明する。
【００６０】
本実施形態によれば、第１実施形態と同様に、上壁部４２の窓用開口部４６に対して室内側かつ一段下がった位置には、下壁部４４の上端部５４が設けられている。また、この下壁部４４の上端部５４には、笠木５８が設けられている。つまり、窓用開口部４６に対して低い位置に笠木５８が設けられている。この笠木５８には、プランタ５６を内部に保持するプランタ保持台９６が載置されているが、笠木５８は窓用開口部４６に対して一段下がっていることから、プランタ５６によって窓用開口部４６が遮られるのを抑制することができる。これにより、見栄えを悪化させることなく容易にプランタ５６を設置することができる。
【００６１】
また、窓用開口部４６と笠木５８とは、建物上下方向でプランタ５６の高さ方向の寸法と同程度離間されていることから、プランタ５６が設けられた場合、プランタ５６に植えられた植物Ｐが窓用開口部４６の窓台５２から建物上方側に配置される。つまり、プランタ５６によって窓用開口部４６が遮られるのを抑制すると共に室内から窓ガラス４８を通して室外を眺めた際に緑の景観を楽しむことができる。
【００６２】
さらに、窓ガラス４８の屋外側に植栽８８が設けられている場合には、室内から窓ガラス４８を通して室外を眺めた際にプランタ５６の植物Ｐと植栽８８とが視覚的に連続する構成となる（図３（Ｂ）参照）。したがって、半地下居室３０に居ながら屋外とのつながりを感じることができるので、開放感を得ることができる。
【００６３】
さらにまた、プランタ保持台９６は前壁部９８の壁下側部とこれと対向する後壁部７２の壁下側部とを底壁部７６で連結させた構成とされていることから、長手方向に直交する断面が前壁部９８と後壁部７２と底壁部７６とで略Ｕ字状になるように形成されている。すなわち、プランタ５６をプランタ保持台９６の底壁部７６上に載置させると、前壁部９８と後壁部７２とでプランタ５６を保持することができるので、プランタ５６自体に特別な構成を設ける必要がない。つまり、一般的なプランタ５６を使用する場合であってもプランタ５６が室内側及び室外側へ倒れるのを抑制することができる。
【００６４】
また、後壁部７２の壁上端部７８が窓用開口部４６の窓台５２よりも建物上方側に位置されているため、笠木５８上にプランタ保持台９６を載置すると、窓用開口部４６の窓台５２における室内側の端部６８を後壁部７２で覆うことができる。同様に、前壁部９８の壁下端部９９が笠木５８よりも建物下側に位置されているため、笠木５８上にプランタ保持台９６を載置すると、笠木５８の室内側の端部９２を前壁部９８で覆うことができる。したがって、すっきりとした見た目になって外観品質性を向上させることができる。
【００６５】
さらに、プランタ保持台９６は笠木５８に対して着脱可能な構成とされていることから、プランタ保持台９６を笠木５８から取り外して清掃を行うことができる。つまり、プランタ保持台９６の清掃が容易となる。
【００６６】
さらにまた、プランタ保持台９６には、笠木引っ掛け部８４が設けられていることから、笠木５８上に載置されたプランタ保持台９６が笠木５８から室内側へ落下するのを抑制することができる。具体的には、笠木５８に設けられた笠木凸部６４にプランタ保持台９６に設けられた笠木引っ掛け部８４が係合する構成とされている。したがって、プランタ保持台９６と笠木５８とを係合させる操作をすることなくプランタ保持台９６を笠木５８上に載置するだけでプランタ保持台９６を笠木凸部６４ひいては笠木５８へと係合させることができる。これによって、笠木５８上に設けられたプランタ保持台９６に略水平方向に外力が加わった場合にも、笠木引っ掛け部８４が笠木凸部６４に係合していることで笠木に対するプランタ保持台９６の移動が止められるので笠木５８上からプランタ保持台９６が落下するのを抑制することができる。
【００６７】
また、プランタ保持台９６の前壁部９８における底壁部７６より建物上方側には、切抜き部１００が形成されていることから、プランタ保持台９６内に載置されたプランタ５６が室内側に露見される。したがって、意匠性の高いプランタ５６が載置された場合には、このプランタ５６も眺めることが可能となるため、プランタ５６の意匠を含めた景観を楽しむことができる。
【００６８】
なお、本実施形態では、切り抜き部１００は板厚方向に貫通された構成とされているが、これに限らず、切り抜き部１００に透明なパネル等を嵌め込んだ構成としてもよい。また、透明なパネルに限らず、一例として緑色のパネルや植物を模した模様のパネル等を嵌め込むことで、プランタ５６の植物Ｐと一体的な外観となるような構成としてもよい。
【００６９】
（第３実施形態）
次に、図６を用いて、本発明の第３実施形態に係る半地下構造の居室壁構造について説明する。なお、前述した第１実施形態等と同一構成部分については、同一番号を付してその説明を省略する。
【００７０】
この第３実施形態に係る半地下構造の居室壁構造は、基本的な構成は第１実施形態と同様とされ、プランタ保持台１０２の底壁部７６に底上げ材１０４が設けられている点に特徴がある。
【００７１】
すなわち、笠木５８の建物上方側には、プランタ保持台１０２が載置されている。このプランタ保持台１０２は、図６（Ａ）に示されるように、前壁部７４と、後壁部７２と、底壁部７６と、底上げ材１０４を含んで構成されている。
【００７２】
底壁部７６の建物上方側には、底上げ材１０４が設けられている。底上げ材１０４は、図６（Ｂ）に示されるように、室内側から室外側へ向かうに連れて建物上方側へ向かうように傾斜された傾斜面１０６を有している。したがって、プランタ保持台１０２内に載置されたプランタ５６は、室内側に向けて傾けられた状態となる。
【００７３】
（第３実施形態の作用・効果）
次に、第３実施形態の作用並びに効果を説明する。
【００７４】
本実施形態によれば、第１実施形態と同様に、上壁部４２の窓用開口部４６に対して室内側かつ一段下がった位置には、下壁部４４の上端部５４が設けられている。また、この下壁部４４の上端部５４には、笠木５８が設けられている。つまり、窓用開口部４６に対して低い位置に笠木５８が設けられている。この笠木５８には、プランタ５６を内部に保持するプランタ保持台１０２が載置されているが、笠木５８は窓用開口部４６に対して一段下がっていることから、プランタ５６によって窓用開口部４６が遮られるのを抑制することができる。
【００７５】
また、窓用開口部４６と笠木５８とは、建物上下方向でプランタ５６の高さ方向の寸法と同程度離間されていることから、プランタ５６が設けられた場合、プランタ５６に植えられた植物Ｐが窓用開口部４６の窓台５２から建物上方側に配置される。つまり、プランタ５６によって窓用開口部４６が遮られるのを抑制すると共に室内から窓ガラス４８を通して室外を眺めた際に緑の景観を楽しむことができる。
【００７６】
さらに、窓ガラス４８の屋外側に植栽８８が設けられている場合には、室内から窓ガラス４８を通して室外を眺めた際にプランタ５６の植物Ｐと植栽８８とが視覚的に連続する構成となる（図３（Ｂ）参照）。したがって、半地下居室３０に居ながら屋外とのつながりを感じることができるので、開放感を得ることができる。
【００７７】
さらにまた、プランタ保持台１０２は前壁部７４の壁下側部とこれと対向する後壁部７２の壁下側部とを底壁部７６で連結させた構成とされていることから、長手方向に直交する断面が前壁部７４と後壁部７２と底壁部７６とで略Ｕ字状になるように形成されている。すなわち、プランタ５６をプランタ保持台１０２の底壁部７６上に載置させると、前壁部７４と後壁部７２とでプランタ５６を保持することができるので、プランタ５６自体に特別な構成を設ける必要がない。つまり、一般的なプランタ５６を使用する場合であってもプランタ５６が室内側及び室外側へ倒れるのを抑制することができる。
【００７８】
また、後壁部７２の壁上端部７８が窓用開口部４６の窓台５２よりも建物上方側に位置されているため、笠木５８上にプランタ保持台１０２を載置すると、窓用開口部４６の窓台５２における室内側の端部６８を後壁部７２で覆うことができる。同様に、前壁部７４の壁下端部８０が笠木５８よりも建物下側に位置されているため、笠木５８上にプランタ保持台１０２を載置すると、笠木５８の室内側の端部９２を前壁部７４で覆うことができる。したがって、すっきりとした見た目になって外観品質性を向上させることができる。
【００７９】
さらに、プランタ保持台１０２は笠木５８に対して着脱可能な構成とされていることから、プランタ保持台１０２を笠木５８から取り外して清掃を行うことができる。つまり、プランタ保持台１０２の清掃が容易となる。
【００８０】
さらにまた、プランタ保持台１０２には、笠木引っ掛け部８４が設けられていることから、笠木５８上に載置されたプランタ保持台１０２が笠木５８から室内側へ落下するのを抑制することができる。具体的には、笠木５８に設けられた笠木凸部６４にプランタ保持台１０２に設けられた笠木引っ掛け部８４が係合する構成とされている。したがって、プランタ保持台１０２と笠木５８とを係合させる操作をすることなくプランタ保持台１０２を笠木５８上に載置するだけでプランタ保持台１０２を笠木凸部６４ひいては笠木５８へと係合させることができる。これによって、笠木５８上に設けられたプランタ保持台１０２に略水平方向に外力が加わった場合にも、笠木引っ掛け部８４が笠木凸部６４に係合していることで笠木に対するプランタ保持台１０２の移動が止められるので笠木５８上からプランタ保持台１０２が落下するのを抑制することができる。
【００８１】
また、プランタ保持台１０２には底上げ材１０４が設けられており、この底上げ材１０４によってプランタ５６が室内側に向けて傾けられた状態とされていることから、室内側から室外側を眺めた際にプランタ５６に植えられた植物Ｐを斜め上側から視認することができる。つまり、植物Ｐがより室内から見易くなる。したがって、背の低い植物Ｐがプランタ５６に植えられている場合にも、室内から窓ガラス４８を通して室外を眺めた際に緑の景観を楽しむことができる。
【００８２】
なお、本実施形態では、プランタ保持台１０２の底壁部７６に底上げ材１０４が設けられた構成とされているが、これに限らず、図６（Ｃ）に示されるように、底壁部７７自体が室内側から室外側へ向かうに連れて建物上方側へ向かうように傾斜させた構成としてもよい。
【００８３】
（第４実施形態）
次に、図７を用いて、本発明の第４実施形態に係る半地下構造の居室壁構造について説明する。なお、前述した第１実施形態等と同一構成部分については、同一番号を付してその説明を省略する。
【００８４】
この第４実施形態に係る半地下構造の居室壁構造は、基本的な構成は第１実施形態と同様とされ、落下防止構造の係合部として笠木１０８の建物上側面１１０に凹部１１２が設けられている点に特徴がある。
【００８５】
すなわち、笠木１０８の建物上側面１１０には、プランタ保持台１１４が載置されている。このプランタ保持台１１４は、図７に示されるように、前壁部７４と、後壁部７２と、底壁部７６とを含んで構成されている。なお、被係合部としての後壁部７２の壁下端部８１は、底壁部７６よりも建物下側へ突出した位置に設定されている。
【００８６】
笠木１０８の建物上側面１１０とプランタ保持台１１４の底壁部７６とは当接されている。また、笠木１０８の室内側面１１６とプランタ保持台１１４の前壁部７４とは当接されている。さらに、笠木１０８における後壁部７２の壁下端部８１に対応した位置には凹部１１２が形成されている。この凹部１１２の深さは、プランタ保持台１１４の底壁部７６から後壁部７２の壁下端部８１までの寸法と略同一とされていると共に、幅方向の寸法は後壁部７２の板厚と略同一に設定されている。したがって、笠木１０８の建物上側面１１０にプランタ保持台１１４を載置すると笠木１０８の凹部１１２内にプランタ保持台１１４の壁下端部８１が挿入される。
【００８７】
（第４実施形態の作用・効果）
次に、第４実施形態の作用並びに効果を説明する。
【００８８】
本実施形態によれば、第１実施形態と同様に、上壁部４２の窓用開口部４６に対して室内側かつ一段下がった位置には、下壁部４４の上端部５４が設けられている。また、この下壁部４４の上端部５４には、笠木１０８が設けられている。つまり、窓用開口部４６に対して低い位置に笠木１０８が設けられている。この笠木１０８には、プランタ５６を内部に保持するプランタ保持台１１４が載置されているが、笠木１０８は窓用開口部４６に対して一段下がっていることから、プランタ５６によって窓用開口部４６が遮られるのを抑制することができる。これにより、見栄えを悪化させることなく容易にプランタ５６を設置することができる。
【００８９】
また、窓用開口部４６と笠木１０８とは、建物上下方向でプランタ５６の高さ方向の寸法と同程度離間されていることから、プランタ５６が設けられた場合、プランタ５６に植えられた植物Ｐが窓用開口部４６の窓台５２から建物上方側に配置される。つまり、プランタ５６によって窓用開口部４６が遮られるのを抑制すると共に室内から窓ガラス４８を通して室外を眺めた際に緑の景観を楽しむことができる。
【００９０】
さらに、窓ガラス４８の屋外側に植栽８８が設けられている場合には、室内から窓ガラス４８を通して室外を眺めた際にプランタ５６の植物Ｐと植栽８８とが視覚的に連続する構成となる（図３（Ｂ）参照）。したがって、半地下居室３０に居ながら屋外とのつながりを感じることができるので、開放感を得ることができる。
【００９１】
さらにまた、プランタ保持台１１４は前壁部７４の壁下側部とこれと対向する後壁部７２の壁下側部とを底壁部７６で連結させた構成とされていることから、長手方向に直交する断面が前壁部７４と後壁部７２と底壁部７６とで略Ｕ字状になるように形成されている。すなわち、プランタ５６をプランタ保持台１１４の底壁部７６上に載置させると、前壁部７４と後壁部７２とでプランタ５６を保持することができるので、プランタ５６自体に特別な構成を設ける必要がない。つまり、一般的なプランタ５６を使用する場合であってもプランタ５６が室内側及び室外側へ倒れるのを抑制することができる。
【００９２】
また、後壁部７２の壁上端部７８が窓用開口部４６の窓台５２よりも建物上方側に位置されているため、笠木１０８上にプランタ保持台１１４を載置すると、窓用開口部４６の窓台５２における室内側の端部６８を後壁部７２で覆うことができる。同様に、前壁部７４の壁下端部８０が笠木１０８よりも建物下側に位置されているため、笠木１０８上にプランタ保持台１１４を載置すると、笠木１０８の室内側の端部９２を前壁部７４で覆うことができる。したがって、すっきりとした見た目になって外観品質性を向上させることができる。
【００９３】
さらに、プランタ保持台１１４は笠木１０８に対して着脱可能な構成とされていることから、プランタ保持台１１４を笠木１０８から取り外して清掃を行うことができる。つまり、プランタ保持台１１４の清掃が容易となる。
【００９４】
さらにまた、笠木１０８の建物上側面１１０には、凹部１１２が設けられていることから、笠木１０８上に載置されたプランタ保持台１１４が笠木１０８から室内側へ落下するのを抑制することができる。具体的には、笠木１０８の建物上側面１１０に形成された凹部１１２内にプランタ保持台１１４の後壁部７２の壁下端部８１が挿入される構造とされている。したがって、プランタ保持台１１４と笠木１０８とを係合させる操作をすることなくプランタ保持台１１４を笠木１０８上に載置するだけでプランタ保持台１１４を笠木１０８へと係合させることができる。これによって、笠木１０８上に設けられたプランタ保持台１１４に略水平方向に外力が加わった場合にも、笠木１０８に対するプランタ保持台１１４の移動が止められるので笠木１０８上からプランタ保持台１１４が落下するのを抑制することができる。また、この凹部１１２は、笠木１０８の建物上側面１１０に形成されていることから、既に下壁部４４に取り付けられた笠木１０８にも容易に施工することができる。
【００９５】
（第５実施形態）
次に、図８を用いて、本発明の第５実施形態に係る半地下構造の居室壁構造について説明する。なお、前述した第１実施形態等と同一構成部分については、同一番号を付してその説明を省略する。
【００９６】
この第５実施形態に係る半地下構造の居室壁構造は、基本的な構成は第１実施形態と同様とされ、落下防止構造の係合部として笠木１２０の建物下側面１２２に凹部１２４が設けられている点に特徴がある。
【００９７】
すなわち、図８に示されるように、笠木１２０の建物上側面１２６には、プランタ保持台１２８が載置されている。このプランタ保持台１２８は、図８に示されるように、前壁部１３０と、後壁部１３２と、底壁部１１８とを含んで構成されている。具体的には、前壁部１３０は、耐水性を有しかつ弾性変形可能な材質で構成されると共に短手方向が建物上下方向に沿って立設された略矩形板状に形成されている。また、笠木１２０よりも建物下方側に位置する前壁部１３０の壁下端部１３４には、被係合部１３６が形成されている。この被係合部１３６は、壁下端部１３４から室外側へ延出された延出部１３８と、この延出部１３８の室外側端部から建物上方へ突出された突出部１４０とで前壁部１３０の長手方向に直交する断面形状が略Ｌ字形状に形成されている。
【００９８】
前壁部１３０に対向した室外側には、前壁部１３０と同様に耐水性を有しかつ弾性変形可能な材質で構成されると共に短手方向が建物上下方向に沿って立設された略矩形板状に形成された後壁部１３２が設けられている。また、前壁部１３０と後壁部１３２とは、建物平面視で略矩形板状に形成され板厚方向が建物上下方向に沿うように配置された底壁部１１８によって連結されている。なお、この底壁部１１８は、一方の端部が後壁部１３２の壁下端部１３４に結合されると共に、他方の端部が前壁部１３０の壁下側部に結合されている。上記構成により、笠木１２０の建物上側面１２６にプランタ保持台１２８を載置する場合は、プランタ保持台１２８を室内側へ傾けた状態（図中鎖線参照）で前壁部１３０を弾性変形させながら突出部１４０を笠木１２０の被係合部１３６へ挿入した後、プランタ保持台１２８の凹部１２４を笠木１２０に当接するように傾けることで載置される。また、後壁部１３２の壁上端部１４２は、窓用開口部４６の窓台５２よりも建物上方側に配置されている。
【００９９】
（第５実施形態の作用・効果）
次に、第５実施形態の作用並びに効果を説明する。
【０１００】
本実施形態によれば、第１実施形態と同様に、上壁部４２の窓用開口部４６に対して室内側かつ一段下がった位置には、下壁部４４の上端部５４が設けられている。また、この下壁部４４の上端部５４には、笠木１２０が設けられている。つまり、窓用開口部４６に対して低い位置に笠木１２０が設けられている。この笠木１２０には、プランタ５６を内部に保持するプランタ保持台１２８が載置されているが、笠木１２０は窓用開口部４６に対して一段下がっていることから、プランタ５６によって窓用開口部４６が遮られるのを抑制することができる。これにより、見栄えを悪化させることなく容易にプランタ５６を設置することができる。
【０１０１】
また、窓用開口部４６と笠木１２０とは、建物上下方向でプランタ５６の高さ方向の寸法と同程度離間されていることから、プランタ５６が設けられた場合、プランタ５６に植えられた植物Ｐが窓用開口部４６の窓台５２から建物上方側に配置される。つまり、プランタ５６によって窓用開口部４６が遮られるのを抑制すると共に室内から窓ガラス４８を通して室外を眺めた際に緑の景観を楽しむことができる。
【０１０２】
さらに、窓ガラス４８の屋外側に植栽８８が設けられている場合には、室内から窓ガラス４８を通して室外を眺めた際にプランタ５６の植物Ｐと植栽８８とが視覚的に連続する構成となる（図３（Ｂ）参照）。したがって、半地下居室３０に居ながら屋外とのつながりを感じることができるので、開放感を得ることができる。
【０１０３】
さらにまた、プランタ保持台１２８は前壁部１３０の壁下側部とこれと対向する後壁部１３２の壁下端部１３４とを底壁部１１８で連結させた構成とされていることから、長手方向に直交する断面が前壁部１３０と後壁部１３２と底壁部１１８とで略Ｕ字状になるように形成されている。すなわち、プランタ５６をプランタ保持台１２８の底壁部１１８上に載置させると、前壁部１３０と後壁部１３２とでプランタ５６を保持することができるので、プランタ５６自体に特別な構成を設ける必要がない。つまり、一般的なプランタ５６を使用する場合であってもプランタ５６が室内側及び室外側へ倒れるのを抑制することができる。
【０１０４】
また、後壁部１３２の壁上端部１３３が窓用開口部４６の窓台５２よりも建物上方側に位置されているため、笠木１２０上にプランタ保持台１２８を載置すると、窓用開口部４６の窓台５２における室内側の端部６８を後壁部１３２で覆うことができる。同様に、前壁部１３０の壁下端部１３４が笠木１２０よりも建物下側に位置されているため、笠木１２０上にプランタ保持台１２８を載置すると、笠木１２０の室内側の端部９２を前壁部１３０で覆うことができる。したがって、すっきりとした見た目になって外観品質性を向上させることができる。
【０１０５】
さらに、プランタ保持台１２８は笠木１２０に対して着脱可能な構成とされていることから、プランタ保持台１２８を笠木１２０から取り外して清掃を行うことができる。つまり、プランタ保持台１２８の清掃が容易となる。
【０１０６】
さらにまた、笠木１２０の建物下側面１２２には、凹部１２４が設けられていることから、笠木１２０上に載置されたプランタ保持台１２８が笠木１２０から室内側へ落下するのを抑制することができる。具体的には、笠木１２０の建物上側面１１０に形成された凹部１１２内にプランタ保持台１２８の前壁部１３０の突出部１４０が挿入される構造とされている。したがって、笠木１２０上に設けられたプランタ保持台１２８に略水平方向に外力が加わった場合にも、笠木１２０に対するプランタ保持台１２８の移動を抑えられるので笠木１２０上からプランタ保持台１２８が落下するのを抑制することができる。また、この凹部１２４は、笠木１２０の建物下側面１２２に形成されていることから、凹部１２４が露見しにくくなるため、プランタ保持台１２８が載置されていない場合にも笠木１２０の外観品質性を損なうことがない。
【０１０７】
（第６実施形態）
次に、図９を用いて、本発明の第６実施形態に係る半地下構造の居室壁構造について説明する。なお、前述した第１実施形態等と同一構成部分については、同一番号を付してその説明を省略する。
【０１０８】
この第６実施形態に係る半地下構造の居室壁構造は、基本的な構成は第１実施形態と同様とされ、笠木１４８の建物下方側にヒータ１４６が設けられている点に特徴がある。
【０１０９】
すなわち、図９に示されるように、下壁部４４の上端部５４に笠木１４８が取り付けられている。この笠木１４８は、建物平面視で略矩形板状に形成されており、下壁部４４の室内側を構成する石膏ボード６０より室内側へ突出するように取り付けられている。この突出量は、下壁部４４における上端部５４の幅寸法と同等程度突出されている。
【０１１０】
笠木１４８の建物上面１５０には、笠木１４８に取り付けられた部材として、又落下防止構造の係合部としての笠木凸部１５２が取り付けられている。この笠木凸部１５２は、建物平面視で略矩形板状に形成されており、室外側端部１５４が窓台５２の室内側の端部６８に対して後述するプランタ保持台１５６の後壁部７２の板厚分離間した位置に設定されている。
【０１１１】
笠木１４８の建物上方側には、プランタ保持台１５６が載置されている。このプランタ保持台１５６は、前壁部１５８と、後壁部７２と、底壁部１６０とを含んで構成されている。具体的には、前壁部１５８は、一例としてメラミン化粧板等の耐水性を有する材質で構成されると共に面直方向視で短手方向が建物上下方向に沿って立設された略矩形板状に形成されている。この前壁部１５８に対向した室外側に、後壁部７２が設けられている。また、前壁部１５８と後壁部７２とは、建物平面視で略矩形板状に形成され板厚方向が建物上下方向に沿うように配置された底壁部１６０によって連結されている。なお、後壁部７２の壁上端部７８は、窓用開口部４６の窓台５２よりも建物上方側に位置すると共に、前壁部１５８の壁下端部１５９は、笠木１４８よりも建物下方側に位置するように設定されている。また、前壁部１５８の長手方向寸法及び後壁部７２の長手方向寸法は、窓用開口部４６に対して突出する程度の寸法に設定されている（図３（Ｂ）参照）。
【０１１２】
底壁部１６０の建物下側面１６２には、落下防止構造の被係合部としての笠木引っ掛け部１６４が取り付けられている。笠木引っ掛け部１６４は、プランタ保持台１５６が笠木１４８上に載置されかつ後壁部７２が笠木凸部１５２の室外側端部１５４と当接した状態で笠木凸部１５２の室内側端部１６６と当接するように底壁部１６０の建物下側面１６２に取り付けられている。なお、笠木引っ掛け部１６４ひいてはプランタ保持台１５６を建物上方側へ持ち上げることで、笠木引っ掛け部１６４と笠木凸部１５２の室内側端部１６６との当接を解除することができる。つまり、プランタ保持台１５６を笠木１４８から取り外すことが可能となる。
【０１１３】
プランタ保持台１５６の内部には、植物Ｐが植えられた複数のプランタ１６８が前壁部１５８の長手方向に沿って収められている。プランタ１６８はプランタ保持台１５６内の底壁部１６０に載置される。プランタ保持台１５６の前壁部１５８における底壁部１６０から前壁部１５８の建物上端部１７０までの寸法はプランタ１６８の高さと略同一とされていることから、室内側から窓用開口部４６の窓ガラス４８を通して屋外を見たときに前壁部１５８がプランタ１６８を隠すことで植物Ｐだけが視認される構成となる。
【０１１４】
下壁部４４の石膏ボード６０より室内側へ突出された笠木１４８の建物下方側には、ヒータ１４６が設けられている。このヒータ１４６は、石膏ボード６０とプランタ保持台１５６の前壁部１５８との間に設けられている。すなわち、笠木１４８の幅を大きくしたことで、笠木１４８の建物下方側にヒータ１４６等を配置できる空間Ｓが形成される。同時に、笠木１４８に合わせてプランタ保持台１５６を大型化することができる。
【０１１５】
（第６実施形態の作用・効果）
次に、第６実施形態の作用並びに効果を説明する。
【０１１６】
本実施形態によれば、第１実施形態と同様に、上壁部４２の窓用開口部４６に対して室内側かつ一段下がった位置には、下壁部４４の上端部５４が設けられている。また、この下壁部４４の上端部５４には、笠木１４８が設けられている。つまり、窓用開口部４６に対して低い位置に笠木１４８が設けられている。この笠木１４８には、プランタ５６を内部に保持するプランタ保持台１５６が載置されているが、笠木１４８は窓用開口部４６に対して一段下がっていることから、プランタ５６によって窓用開口部４６が遮られるのを抑制することができる。
【０１１７】
また、窓用開口部４６と笠木１４８とは、建物上下方向でプランタ５６の高さ方向の寸法と同程度離間されていることから、プランタ５６が設けられた場合、プランタ５６に植えられた植物Ｐが窓用開口部４６の窓台５２から建物上方側に配置される。つまり、プランタ５６によって窓用開口部４６が遮られるのを抑制すると共に室内から窓ガラス４８を通して室外を眺めた際に緑の景観を楽しむことができる。
【０１１８】
さらに、窓ガラス４８の屋外側に植栽８８が設けられている場合には、室内から窓ガラス４８を通して室外を眺めた際にプランタ５６の植物Ｐと植栽８８とが視覚的に連続する構成となる（図３（Ｂ）参照）。したがって、半地下居室３０に居ながら屋外とのつながりを感じることができるので、開放感を得ることができる。
【０１１９】
さらにまた、プランタ保持台１５６は前壁部１５８の壁下側部とこれと対向する後壁部７２の壁下側部とを底壁部１６０で連結させた構成とされていることから、長手方向に直交する断面が前壁部１５８と後壁部７２と底壁部１６０とで略Ｕ字状になるように形成されている。すなわち、プランタ５６をプランタ保持台１５６の底壁部１６０上に載置させると、前壁部１５８と後壁部７２とでプランタ５６を保持することができるので、プランタ５６自体に特別な構成を設ける必要がない。つまり、一般的なプランタ５６を使用する場合であってもプランタ５６が室内側及び室外側へ倒れるのを抑制することができる。
【０１２０】
また、後壁部７２の壁上端部７８が窓用開口部４６の窓台５２よりも建物上方側に位置されているため、笠木１４８上にプランタ保持台１５６を載置すると、窓用開口部４６の窓台５２における室内側の端部６８を後壁部７２で覆うことができる。同様に、前壁部１５８の壁下端部１５９が笠木１４８よりも建物下側に位置されているため、笠木１４８上にプランタ保持台１５６を載置すると、笠木１４８の室内側の端部９２を前壁部１５８で覆うことができる。したがって、すっきりとした見た目になって外観品質性を向上させることができる。
【０１２１】
さらに、プランタ保持台１５６は笠木１４８に対して着脱可能な構成とされていることから、プランタ保持台１５６を笠木１４８から取り外して清掃を行うことができる。つまり、プランタ保持台１５６の清掃が容易となる。
【０１２２】
さらにまた、プランタ保持台１５６には、笠木引っ掛け部８４が設けられていることから、笠木１４８上に載置されたプランタ保持台１５６が笠木１４８から室内側へ落下するのを抑制することができる。具体的には、笠木１４８に設けられた笠木凸部６４にプランタ保持台１５６に設けられた笠木引っ掛け部８４が係合する構成とされている。したがって、プランタ保持台１５６と笠木１４８とを係合させる操作をすることなくプランタ保持台１５６を笠木１４８上に載置するだけでプランタ保持台１５６を笠木１４８へと係合させることができる。これによって、笠木１４８上に設けられたプランタ保持台１５６に略水平方向に外力が加わった場合にも、笠木引っ掛け部８４が笠木凸部６４に係合していることで笠木１４８に対するプランタ保持台１５６の移動が止められるので笠木１４８上からプランタ保持台１５６が落下するのを抑制することができる。
【０１２３】
また、笠木１４８における下壁部４４の石膏ボード６０からの突出量が大きくなったことで、笠木１４８に合わせてプランタ保持台１５６を大型化することができるため、よりサイズの大きいプランタ１６８をプランタ保持台１５６内に載置することが可能となる。
【０１２４】
さらに、笠木１４８の建物下方側には、ヒータ１４６が設けられていることから、このヒータ１４６を作動させた場合の熱によって低温の外気の影響で窓用開口部４６から発生する下降冷気（コールドドラフト）を抑制することができる。また、ヒータ１４６からの熱によって冬場でもプランタ保持台１５６に載置されたプランタ１６８の植物Ｐを育ち易くすることができる。
【０１２５】
なお、上述の第１〜第６実施例によれば、落下防止構造は、笠木５８、１４８に笠木凸部６４、１５２を設ける構成や、笠木１０８、１２０に凹部１１２、１２４を設ける構成としたが、これに限らず、図示はしないが笠木５８、１０８、１２０、１４８上に設けられた別部材に係合部を形成し、この係合部にプランタ保持台７０、９６、１０２、１１４、１２８、１５６に設けられた被係合部を係合する構成としてもよい。これにより、笠木５８、１０８、１２０、１４８自体に係合部を設ける加工が不要となると共に、プランタ保持台７０、９６、１０２、１１４、１２８、１５６が不要となった場合は、この別部材も撤去することで係合部が露見することによる外観品質性の低下を抑制することができる。
【０１２６】
以上、本発明の実施形態について説明したが、本発明は、上記に限定されるものでなく、その主旨を逸脱しない範囲内において上記以外にも種々変形して実施することが可能であることは勿論である。
【符号の説明】
【０１２７】
１０   基礎
２２   立ち上がり部
３０   半地下居室（半地下構造とされた居室）
４０   壁部
４２   上壁部
４４   下壁部
４６   窓用開口部
５２   窓台（窓用開口部の下縁部）
５４   上端部
５６   プランタ
５８   笠木
６４   笠木凸部（係合部）
７２   後壁部
７４   前壁部
７６   底壁部
７８   壁上端部
８０   壁下端部
８１   壁下端部（被係合部）
８４   笠木引っ掛け部（被係合部）
９６   プランタ保持台
１００ 切抜き部
１０２ プランタ保持台
１０８ 笠木
１１２ 凹部（係合部）
１１４ プランタ保持台
１２０ 笠木
１２４ 凹部（係合部）
１２８ プランタ保持台
１３３ 壁上端部
１４０ 突出部（被係合部）
１４２ 壁上端部
１４６ ヒータ
１４８ 笠木
１５２ 笠木凸部（係合部）
１５６ プランタ保持台
１６４ 笠木引っ掛け部（被係合部）
１６８ プランタ
【図１】
0006470626.tif 000002
【図２】
0006470626.tif 000003
【図３】
0006470626.tif 000004
【図４】
0006470626.tif 000005
【図５】
0006470626.tif 000006
【図６】
0006470626.tif 000007
【図７】
0006470626.tif 000008
【図８】
0006470626.tif 000009
【図９】
0006470626.tif 000010